(57)【要約】【課題】同一規格サイズのパイプ同士の接続だけでなく、異なる規格サイズのパイプの接続にも使用することができ、部材数の削減や接続作業の簡略化を図れる管継手を提供する。【解決手段】管（パイプ１２）の端部を挿入接続するための受口１３を有する管継手１０において、前記受口１３部分の厚さｔ１３を、規格サイズの規定厚さ以上に保った状態で、該受口部分の外径Ｄ１３を、該管継手１０に接続する管１２の規格サイズよりも規格サイズの大きな管（大径パイプ１４）の外径寸法Ｄ１４に設定するとともに、前記受口部分を含む直管状部分の長さＬ１３を、前記規格サイズの大きな管１４を挿入接続する管継手（大径管継手１５）における受口１６の深さ寸法Ｌ１６以上に設定する。【選択図】    図１
2004225874.tif 000002
【特許請求の範囲】
【請求項１】
管端を挿入接続するための受口を有する管継手において、前記受口部分の厚さを規格サイズの規定厚さ以上に保った状態で、該受口部分の外径を、該管継手に接続する管の規格サイズよりも大きな規格サイズの管の外径寸法に設定するとともに、前記受口部分を含む直管状部分の長さを、前記大きな規格サイズの管を挿入接続する管継手における受口の深さ寸法以上に設定したことを特徴とする管継手。
【発明の詳細な説明】
【０００１】
【発明の属する技術分野】
本発明は、管継手に関し、詳しくは、各種配管経路における合成樹脂製パイプの接続に使用される管継手であって、レジューサーや異径管分岐継手としても使用可能な管継手に関する。
【０００２】
【従来の技術】
合成樹脂製パイプを接続するための管継手は、一般に、同一サイズのパイプ（管）を接続するものが多く用いられており、通常は、日本工業規格等に規定されたパイプの外径に合わせた内径の受口を有している。例えば、ＪＩＳ  Ｋ  ６７４２に規定されている水道用硬質塩化ビニル管において、呼び径（呼称）が「１３」のパイプは、外径基本寸法が１８．０ｍｍ（最大最小外径の許容差±０．２ｍｍ、平均外径の許容差±０．２ｍｍ）、厚さ基本寸法が２．５ｍｍ（許容差±０．２ｍｍ）と規定されており、近似内径は１３ｍｍとなっている（非特許文献１参照。）。この呼び径１３の塩ビパイプを接続する直線状の管継手であるソケットは、その両端部に、内径基本寸法が１８．０ｍｍで開口端がやや拡大し、奥部がやや縮小したテーパー面を有する受口を備えている。
【０００３】
【非特許文献１】
ＪＩＳ  Ｋ  ６７４２
【０００４】
【発明が解決しようとする課題】
しかし、各種配管経路の施工において、異なる規格サイズのパイプを接続する場合、従来は、両端部が異なる規格サイズに適合した特殊な形状のレジューサーと呼ばれる管継手を双方のパイプ間に挿入したり、径違いソケット等の特殊な管継手を使用したりしているため、配管施工時に管理すべき部材数が多くなり、また、接続作業も繁雑なものとなっていた。
【０００５】
そこで本発明は、同一規格サイズのパイプ同士の接続だけでなく、異なる規格サイズのパイプの接続にも使用することができ、部材数の削減や接続作業の簡略化を図れる管継手を提供することを目的としている。
【０００６】
【課題を解決するための手段】
上記目的を達成するため、本発明の管継手は、管（パイプ）端を挿入接続するための受口を有する管継手において、前記受口部分の厚さを規格サイズの規定厚さ以上に保った状態で、該受口部分の外径を、該管継手に接続するパイプの規格サイズよりも大きな規格サイズのパイプの外径寸法に設定するとともに、前記受口部分を含む直管状部分の長さを、前記大きな規格サイズのパイプを挿入接続する管継手における受口の深さ寸法以上に設定したことを特徴としている。
【０００７】
【発明の実施の形態】
図１及び図２は、本発明の管継手を水道用硬質塩化ビニル管を接続するためのエルボに適用した一形態例を示すもので、図１はパイプ接続前の状態を示す断面図、図２はパイプ接続後の状態を示す断面図である。
【０００８】
この管継手１０は、塩化ビニルを射出成形することによって得られたものであって、９０度に屈曲した継手本体１１の両端に同一規格サイズの小径パイプ１２を接続するための受口１３を形成するとともに、この受口１３の部分の外径を前記小径パイプ１２の規格サイズよりも大きな規格サイズの大径パイプ１４の外径寸法とし、かつ、受口１３部分における直管状部分の長さを大径パイプ１４を接続するために使用する大径管継手１５の大径受口１６における深さ寸法に対応させたものである。
【０００９】
ここで、前記小径パイプ１２及び大径パイプ１４が、それぞれＪＩＳ  Ｋ  ６７４２に規定されている水道用硬質塩化ビニル管の場合を例に挙げて説明する。なお、外径及び厚さには、前述のように基本寸法と許容差とがそれぞれ規定されているが、以下の説明では基本寸法のみを例示して説明する。
【００１０】
まず、小径パイプ１２の呼び径が「１３」で、大径パイプ１４の呼び径が「２０」であるとすると、小径パイプ１２の規定寸法は、外径Ｄ１２が１８．０ｍｍ、厚さｔ１２が２．５ｍｍであり、近似内径ｄ１２は１３ｍｍである。一方、大径パイプ１４の規定寸法は、外径Ｄ１４が２６．０ｍｍ、厚さｔ１４が３．０ｍｍであり、近似内径ｄ１４は２０ｍｍである。
【００１１】
したがって、小径パイプ１２を接続する管継手１０の受口１３は、その内径ｄ１３が前記小径パイプ１２の外径Ｄ１２に対応した１８．０ｍｍに設定されている。この場合、通常の管継手における受口部分の厚さが小径パイプ１２の厚さと略同じだとすると、受口部分の外径は約２３ｍｍとなる。一方、大径パイプ１４を接続する大径管継手１５に設けられている大径受口１６の内径ｄ１６は、前記大径パイプ１４の外径Ｄ１４に対応した２６ｍｍに設定されている。
【００１２】
この場合、管継手１０における受口１３の部分の外径Ｄ１３を、大径パイプ１４の外径Ｄ１４に対応した２６ｍｍに設定しておくことにより、この受口１３を大径管継手１５の大径受口１６に挿入して接続することが可能となる。このときの受口１３の部分の厚さｔ１３は約４ｍｍとなり、強度的な問題は全くない。また、受口１３部分における差口としての有効長さＬ１３は、大径管継手１５の大径受口１６における深さ寸法Ｌ１６以上に設定する必要があり、呼び径２０のパイプを接続する大径管継手１５における深さ寸法Ｌ１６は、通常３５ｍｍ程度であるから、前記有効長さＬ１３も、３５ｍｍ以上を確保しておく。
【００１３】
このように形成した管継手１０は、呼び径が「１３」の小径パイプ１２同士を接続可能な受口１３を両端に有するとともに、大径パイプ１４の接続に使用する大径管継手１５の大径受口１６に挿入接続される差口を少なくとも一端に有していることになる。
【００１４】
したがって、このような管継手１０を標準的に用いることにより、図２に示すように、小径パイプ１２と大径パイプ１４とを、２個の標準的な管継手１０，１５によって接続することができる。これにより、特殊なレジューサーや径違いの管継手を用意する必要がなくなり、配管施工時における部材点数の削減が図れるとともに、接続作業の簡略化も図れる。
【００１５】
一方、前記管継手１０における受口１３の部分の外径を、呼び径１３の一つ上の規格サイズである呼び径１６に適合させた場合は、外形寸法を２２ｍｍに設定する必要があるから、このときの受口部分の厚さは約２ｍｍとなり、呼び径１３及び呼び径１６のパイプの規定厚さ２．５ｍｍ及び３．０ｍｍに比べて薄くなってしまうという問題がある。
【００１６】
なお、このような構造の管継手は、前記エルボだけでなく、ソケットやチーズにも適用可能であり、必要に応じて径違いの管継手に適用することもできる。また、水道用硬質塩化ビニル管に限らず、各種パイプ用の各種サイズの管継手に適用可能である。
【００１７】
【発明の効果】
以上説明したように、本発明の管継手によれば、同一規格サイズのパイプ同士の接続だけでなく、異なる規格サイズのパイプの接続も特殊なパイプや管継手を用いることなく行うことができるので、配管施工における部材数の削減や接続作業の簡略化を図れる。
【図面の簡単な説明】
【図１】本発明をエルボに適用した一形態例を示すもので、パイプ接続前の状態を示す断面図である。
【図２】同じくパイプ接続後の状態を示す断面図である。
【符号の説明】
１０…管継手、１１…継手本体、１２…小径パイプ、１３…受口、１４…大径パイプ、１５…大径管継手、１６…大径受口
【図１】
2004225874.tif 000003
【図２】
2004225874.tif 000004